(57)【要約】【課題】ワンタッチで取り付けられ、取り付け後のガタツキがなく、また取り外しても傷が付くことがなく、従って、再利用の可能なケーシング材及びこれを用いた開口枠構造を提供する。【解決手段】開口枠を形成するケーシング枠１２に設けられた嵌合溝１３に嵌合する嵌合部３とケーシング材本体２とからなるＬ字状ケーシング材１であって、前記嵌合部３にエラストマーからなる係合部５が共押出により一体的に形成されていることを特徴とするケーシング材である。【選択図】図４
2006219929.tif 000002
【特許請求の範囲】
【請求項１】
開口枠を形成するケーシング枠に設けられた嵌合溝に嵌合する嵌合部とケーシング材本体とからなるＬ字状ケーシング材であって、前記嵌合部にエラストマーからなる係合部が共押出により一体的に形成されていることを特徴とするケーシング材。
【請求項２】
係合部に係合突起が延設されていることを特徴とする請求項１記載のケーシング材。
【請求項３】
係合突起がケーシング材本体側に傾斜していることを特徴とする請求項２記載のケーシング材。
【請求項４】
ケーシング材本体と嵌合部が、ＡＢＳ樹脂、塩化ビニル樹脂、ポリエステル樹脂、ポリスチレン樹脂から選ばれる樹脂からなる請求項１〜３のいずれか１項に記載のケーシング材。
【請求項５】
エラストマーがスチレン系エラストマー、ウレタン系エラストマー、エステル系エラストマーから選ばれる請求項１〜４のいずれか１項に記載のケーシング材。
【請求項６】
開口枠を形成するケーシング枠に設けられた嵌合溝に嵌合する嵌合部とケーシング材本体とからなるケーシング材であって、前記嵌合部にエラストマーからなる係合部が共押出により一体的に形成されているケーシング材を開口枠を形成するケーシング枠に取り付けた開口枠構造であって、前記係合部を構成するエラストマーの形状変形性、弾性反発力及び摩擦力を利用して、前記ケーシング枠に設けられた嵌合溝に前記嵌合部が圧入されていることを特徴とする開口枠構造。
【請求項７】
係合部に係合突起が延設され、該係合突起により嵌合部が嵌合溝に圧入されていることを特徴とする請求項６記載の開口枠構造。
【請求項８】
嵌合溝の内側に係合突起収容孔が設けられ、係合部の係合突起が前記係合突起収容孔に収容されていることを特徴とする請求項７記載の開口枠構造。
【請求項９】
係合突起収容孔が嵌合溝の開口部側に傾斜するとともに、係合突起が嵌合部の基部側に傾斜しており、前記係合突起が前記係合突起収容孔に収容されていることを特徴とする請求項８記載の開口枠構造。
【発明の詳細な説明】
【技術分野】
【０００１】
本発明は、ドア、クローゼット等開口枠を形成するケーシング枠に取り付けられるケーシング材及びこれを用いた開口枠構造に関し、更に詳しくは、ワンタッチで取り付けられ、取り付け後のガタツキがなく、また取り外しても傷が付くことがなく、従って、再利用の可能なケーシング材及びこれを用いた開口枠構造に関する。
【背景技術】
【０００２】
従来、この種のケーシング材としては、図８、図９に示すように、嵌合突起を設けたＬ字状のケーシング材１１が、ケーシング枠１２に設けた嵌合溝１３に接着剤（図示せず）を介して取り付けられている（例えば、特許文献１参照）。図中、１４は戸当り、１５はドア、１６は蝶番、１７は壁である。また、ケーシング材は、接着剤に代えて、ビスやタッカーにより取り付けられる場合もある。
【０００３】
また、平坦面に形成される第一片と入隅側に反った湾曲面に形成される第二片とからなる断面略Ｌ字形を有しており、第二片には出隅側に突出する第一係止爪と入隅側に突出する第二係止爪とが設けられ、第一片をケーシング嵌合溝の底面に当接させ且つ第二片をケーシング嵌合溝の側面に当接させた状態で該ケーシング嵌合溝に嵌合したときに第二片の第一係止爪が該ケーシング嵌合溝の側面に食い込み、該ケーシング嵌合溝にケーシング枠を挿入したときに第二係止爪がケーシング枠の側面に食い込むように構成されてなることを特徴とするケーシング枠係止金具が提案されている（例えば、特許文献２参照）。
【特許文献１】特開２００２−４７２０号公報（図６）
【特許文献２】特開２００１−１８２４３７号公報（図１、図）
【発明の開示】
【発明が解決しようとする課題】
【０００４】
しかしながら、ケーシング材を接着剤を介してケーシング枠に取り付ける場合は、ケーシング材の嵌合突起及びケーシング枠の嵌合溝にそれぞれ接着剤を塗布する必要があるため作業性が悪く、また、一旦取り付けた後は取り外すことができず、例えばケーシング材の位置を調整しようとしても、また取り替えようとしても不可能で、極めて自由度が小さく、また不経済である。
【０００５】
また、ビスやタッカー等により取り付けた場合には、取り外しは可能であるものの、ケーシング材の化粧面に傷が付いたり、ビスやタッカー跡が残るためケーシング材の再利用が困難で、仮に再利用したとしても外観が悪くなる。
【０００６】
一方、ケーシング枠係止金具を用いて取り付ける場合は、上記問題はかなり解消されるものの、ケーシング材とケーシング枠とにそれぞれ係止金具の係止爪を食い込ませることによりケーシング材をケーシング枠に取り付けるため、食い込ませた係止爪を引き抜いてケーシング材を取り外すことは必ずしも容易ではなく、また、取り外せたとしてもケーシング材の化粧面に傷が付く虞れがある。また、係止金具の係止片をケーシング枠とケーシング材との両方にうまく食い込ませる必要があるが、このような作業は必ずしも容易ではなく、かなりの熟練を要すると考えられる。更に、別途係止金具を準備する必要があるので、それだけコストアップとなる。
【０００７】
本発明はかかる実情に鑑み、上記従来技術の問題点を解決するもので、接着材、ビス、タッカーや係止金具が不要で、ワンタッチで取り付けられ、しかも取り付け後のガタツキがなく、取り外しても傷が付くことがなく、従って、再利用の可能なケーシング材及びこれを用いた開口枠構造を提供することを目的とする。
【課題を解決するための手段】
【０００８】
本発明は上記目的を達成するためになされたもので、請求項１に係る発明は、開口枠を形成するケーシング枠に設けられた嵌合溝に嵌合する嵌合部とケーシング材本体とからなるＬ字状ケーシング材であって、前記嵌合部にエラストマーからなる係合部が共押出により一体的に形成されていることを特徴とするケーシング材を内容とする。
【０００９】
請求項２に係る発明は、係合部に係合突起が延設されていることを特徴とする請求項１記載のケーシング材を内容とする。
【００１０】
請求項３に係る発明は、係合突起がケーシング材本体側に傾斜していることを特徴とする請求項２記載のケーシング材を内容とする。
【００１１】
請求項４に係る発明は、ケーシング材本体と嵌合部が、ＡＢＳ樹脂、塩化ビニル樹脂、ポリエステル樹脂、ポリスチレン樹脂から選ばれる樹脂からなる請求項１〜３のいずれか１項に記載のケーシング材を内容とする。
【００１２】
請求項５に係る発明は、エラストマーがスチレン系エラストマー、ウレタン系エラストマー、エステル系エラストマーから選ばれる請求項１〜４のいずれか１項に記載のケーシング材を内容とする。
【００１３】
請求項６に係る発明は、開口枠を形成するケーシング枠に設けられた嵌合溝に嵌合する嵌合部とケーシング材本体とからなるケーシング材であって、前記嵌合部にエラストマーからなる係合部が共押出により一体的に形成されているケーシング材を開口枠を形成するケーシング枠に取り付けた開口枠構造であって、前記係合部を構成するエラストマーの形状変形性、弾性反発力及び摩擦力を利用して、前記ケーシング枠に設けられた嵌合溝に前記嵌合部が圧入されていることを特徴とする開口枠構造を内容とする。
【００１４】
請求項７に係る発明は、係合部に係合突起が延設され、該係合突起により嵌合部が嵌合溝に圧入されていることを特徴とする請求項６記載の開口枠構造を内容とする。
【００１５】
請求項８に係る発明は、嵌合溝の内側に係合突起収容孔が設けられ、係合部の係合突起が前記係合突起収容孔に収容されていることを特徴とする請求項７記載の開口枠構造を内容とする。
【００１６】
請求項９に係る発明は、係合突起収容孔が嵌合溝の開口部側に傾斜するとともに、係合突起が嵌合部の基部側に傾斜しており、前記係合突起が前記係合突起収容孔に収容されていることを特徴とする請求項８記載の開口枠構造を内容とする。
【発明の効果】
【００１７】
本発明によれば、ケーシング材の嵌合部にエラストマーからなる係合部を共押出により一体的に形成したので別途、係止具等を必要としない。
【００１８】
また、係合部のエラストマーの有する形状変形性と弾性反発力と摩擦力とを利用して、ケーシング枠の嵌合部にケーシング材の嵌合部が圧入されるので、ワンタッチで押し込み嵌合させることができ、また一旦嵌合させた後はエラストマーの弾性反発力、復元力により嵌合部は嵌合溝に押し付けられるのでガタツキが生じず、不用意に抜け出ることもない。また、取り外す場合はケーシング材を引き抜くように力を加えることにより、ケーシング材やケーシング枠に傷を付けることなく取り外すことができ、ケーシング材の再利用も可能である。
【００１９】
係合部に係合突起を延設することにより、形状変形性と弾性反発力とが一層効果的に発揮され、取り付けや取り外しが容易で、またガタツキが一層生じ難くなる。
【００２０】
係合突起がケーシング本体側に傾斜していると、嵌合部の嵌合溝への押し込みが容易になるとともに、一旦押し込んだ後は抜け出し抵抗力が大きくなる。
【００２１】
ケーシング材本体と嵌合部は、ＡＢＳ樹脂、塩化ビニル樹脂、ポリエステル樹脂、ポリスチレン樹脂から選ばれる樹脂からなるのが好ましく、また、係合部のエラストマーはスチレン系エラストマー、ウレタン系エラストマー、エステル系エラストマーが上記樹脂との相溶性が良い点で好適である。
【００２２】
ケーシング枠の嵌合溝に係止突起収容孔が設けられ、ケーシング材の係合部の係合突起を該収容孔に収容させることにより、ケーシング材が経時とともに緩んだり、不用意に抜け出すことが一層確実に防止される。
【発明を実施するための最良の形態】
【００２３】
本発明のケーシング材は、開口枠を形成するケーシング枠に設けられた嵌合溝に嵌合する嵌合部とケーシング材本体とからなるケーシング材であって、前記嵌合部にエラストマーからなる係合部が共押出により一体的に形成されていることを特徴とする。
【００２４】
本発明のケーシング本体と嵌合部は、エラストマーとの相溶性を有する樹脂であれば特に制限されず、例えば、ＡＢＳ樹脂、塩化ビニル樹脂、ポリエステル樹脂、ポリスチレン樹脂等が好適である。これらは単独で又は必要に応じ２種以上組み合わせて用いられる。
【００２５】
これらの樹脂には発泡剤を含有させてもよく、このような発泡剤としては重炭酸ナトリウム、炭酸アンモニウム、アゾジカルボン酸アミド（ＡＤＣＡ）、オキシビスベンゼンスルホニルシドラジド（ＯＢＳＨ）等が挙げられ、これらは単独で又は必要に応じ２種以上組み合わせて用いられる。
【００２６】
また、装飾性を付与するために、無機、有機の粉末、金属粉末、染料、顔料等の着色料、木粉、熱硬化性樹脂粉末、有機、無機の繊維等を含有させることもできる。具体的には、炭酸カルシウム、ケイ酸カルシウム、クレー、カオリン、タルク、シリカ、ケイソウ土、雲母、アスベスト、硫酸バリウム、硫酸アルミニウム、硫酸カルシウム、炭酸マグネシウム、二硫化モリブデン、ガラス球、ガラスフレーク、シラスバルーン、グラファイト等の無機粉末、アルミナ、銅等の金属粉末、熱硬化性樹脂（エポキシ樹脂、不飽和ポリエステル樹脂等）などの難溶融性合成樹脂粉末、ガラス繊維、炭素繊維、チタン酸カリウム等が挙げられる。これらは単独で又は２種以上組み合わせて用いられる。発泡倍率は１．４〜２．０倍程度が好ましい。
【００２７】
更に、これらの樹脂に通常添加される添加剤、例えば滑剤、軟化剤、無機充填剤、着色剤、耐熱安定剤、帯電防止剤、耐候安定剤、老化防止剤、抗菌剤、防カビ剤等を適宜添加することができる。
【００２８】
本発明の係合部を構成するエラストマーとしては、上記樹脂と相溶性を有するエラストマーが用いられ、例えばスチレン系エラストマー、ウレタン系エラストマー、エステル系エラストマーが好適である。特に、スチレン系エラストマーが好ましく、例えば、ポリスチレン−ポリ（エチレン−ブチレン）−ポリスチレン（ＳＥＢＳ）、ポリスチレン−ポリ（エチレン−プロピレン）−ポリスチレン（ＳＥＰＳ）、ポリスチレン−ポリブタジエン−ポリスチレン（ＳＢＳ）、ポリスチレン−ポリイソプレン−ポリスチレン（ＳＩＳ）等のスチレン系熱可塑性エラストマー等が挙げられ、特にポリスチレン−ポリ（エチレン−ブチレン）−ポリスチレン（ＳＥＢＳ）が好ましい。
エラストマーの硬度は４０〜９０のものが好ましく、より好ましくは６０〜８５のものである。
【００２９】
エラストマーからなる係合部は、嵌合部の片側又は両側に設けられる。係合部に係合突起を設けることにより、該突起の形状変形性と弾性反発力、復元力により、嵌合部をケーシング枠の嵌合溝に押し込むことにより嵌合させ易く、また一旦嵌合させた後は弾性反発力と復元力により嵌合部は嵌合溝に強く押し付けられるので、ガタツキが生じることがなく、また不用意に抜け出ることが防止される。
【００３０】
係合突起は特に制限はなく、例えば、波形状としたり、イボ状突起を設けたり、舌片状の突起でもよい。これらの中では舌片状突起が形状変形性、弾性反発力、復元力に優れる点で好ましい。舌片状突起はケーシング本体側に傾斜させることにより、押し込みがし易く、且つ押し込んだ後の抜け出し抵抗力が大きくなる。
【００３１】
ケーシング枠の嵌合溝には、上記係合突起の収容孔を設けることができる。このような収容孔を設けることにより、上記の如く押し込んだ後、係合突起が復元弾発力により該収容孔に収容され、抜け出し抵抗力が大きくなり、ケーシング材が経時とともに緩んだり、不用意に抜け出すことが防止される。
【００３２】
本発明のケーシング材は、その嵌合部にエラストマーからなる係合部が共押出により一体的に形成される。成形条件は、例えば、樹脂からなるケーシング材（ケーシング材本体と嵌合部）には５０粍押出機を用い、エラストマーからなる係合部には竪型２５粍押出機を用いることができる。
【実施例】
【００３３】
以下、実施例を挙げて本発明を更に詳細に説明するが、本発明はかかる実施例のみに限定されないことは云うまでもない。
【００３４】
実施例１
下記のケーシング材（ケーシング材本体と嵌合部）用の樹脂組成物と下記の係合部用のエラストマーを用いて、下記の押出条件で共押出し、図１に示すように、ケーシング材本体２と嵌合部３とからなり、該嵌合部３に、２個の舌片状の係合突起４を有する係合部５が共押出しされた略Ｌ字状のケーシング材１を得た。尚、嵌合部３の先端部は、ケーシング枠の嵌合溝に挿入し易いように、角部の一つが削切されている。
【００３５】
（ケーシング材用樹脂組成物）
ＡＢＳ６５７（テクノポリマー株式会社）              １００．０重量部
発泡剤（永和化成）アゾジカルボン酸アミド（ＡＤＣＡ）    ０．５重量部
着色剤（テクノポリマー株式会社）１５Ａ  ７４４７ＭＢ    ８．０重量部
発泡倍率  １．６倍
【００３６】
（係合部用エラストマー）
スチレン系エラストマー（ＬＱＢ９３１２Ｎ：リケンテクノス）硬度ＨＤＡ７４
【００３７】
（成形条件）
５０粍押出機（樹脂組成物用）
Ｃ１／１３０  Ｃ２／１７５  Ｃ３／１６５  Ｈ／１６５  Ｄ／１６５（±１５℃）
スクリュ回転数  ２０ｒｐｍ
竪型２５粍押出機（エラストマー用）
Ｃ１／１５０  Ｃ２／１８０  Ｈ／１７５  Ｄ／１７５
スクリュ回転数  １２ｒｐｍ
【００３８】
実施例２
図２に示すように、舌片状の係合突起４をケーシング材本体２側に傾斜（約６０度）させた他は実施例１と同様にして、ケーシング材１を得た。
【００３９】
実施例３
図３、図４に示すように、上記実施例２で得られたケーシング材１（図２）をケーシング枠１２に取り付けた。即ち、ケーシング材１の嵌合部３に一体的に取り付けられた係合部５の舌片状の係合突起４の形状変形性を利用してケーシング枠１２の嵌合溝１３内に嵌合部３を押し込んだ。
【００４０】
ケーシング材１をケーシング枠１２に取り付けた後は、嵌合部５の係合突起４がケーシング枠１２の嵌合溝１３と係合し、係合部５の係合突起４は、嵌合部３又は係合部５と嵌合溝１３との間で圧縮変形した（押し潰された）状態でその弾性反発力、復元力と摩擦力とによりケーシング材１のガタツキも全く見られない。
一方、ケーシング材１は引き抜く方向に強く力を加えることにより、係合突起３の形状変形性により変形して嵌合溝１３から離脱し、化粧面に傷を全く付けることなくケーシング枠１２から取り外すことができる。
【００４１】
実施例４
図５に示すように、ケーシング枠１２の嵌合溝１３に係合突起４を収容する係合突起収容孔６を設けた他は、実施例３と同様にして開口枠構造を形成した。
即ち、係合部５の係合突起４の形状変形性を利用してケーシング枠１２の嵌合溝１３内に嵌合部３が押し込まれるのは実施例３と同様であるが、押し込まれた後は、係合突起４は復元弾発力により係合突起収容孔６内に収容され、抜け出し抵抗力が大きくなり、不用意に抜け出ることが防止される。
【００４２】
実施例５
図６に示すように、実施例１で得られたケーシング材１を用いた他は実施例３と同様にして開口枠構造を形成した。
この場合も、実施例３の場合と略同様の構成となるが、舌片状の係合突起４は垂直状態から水平状態に強制的に折り曲げられた状態にあり、その復元弾発力と摩擦力により不用意な抜け出しが防止されるとともにガタツキの発生が防止される。
【００４３】
実施例６
図７に示すように、ケーシング枠１２の嵌合溝１３に舌片状の係合突起４を収容する係合突起収容孔６を設けた他は、実施例５と同様にして開口枠構造を形成した。
即ち、係合部５の係合突起４の形状変形性を利用してケーシング枠１２の嵌合溝１３内に嵌合部３が押し込まれるのは実施例５と同様であるが、押し込まれた後は、係合突起４は復元弾発力により係合突起収容孔６内に収容され、抜け出し抵抗力が大きくなり、不用意に抜け出ることが防止される。
【産業上の利用可能性】
【００４４】
叙上のとおり、本発明のケーシング材は、別途、係止具等を必要とせず、また、係合部のエラストマーの有する形状変形性と弾性反発力と摩擦力とを利用して、ケーシング枠の嵌合部にケーシング材の嵌合部が圧入されるので、ワンタッチで押し込み嵌合させることができ、また、一旦嵌合させた後はエラストマーの弾性反発力、復元力により嵌合部は嵌合溝に押し付けられるのでガタツキが生じず、不用意に抜け出ることもない。
また、取り外す場合はケーシング材を引き抜くように強く力を加えることにより、ケーシング材やケーシング枠に傷を付けることなく取り外すことができ、ケーシング材の再利用も可能である。
【図面の簡単な説明】
【００４５】
【図１】本発明のケーシング材の実施例１を示す断面図である。
【図２】本発明のケーシング材の実施例２を示す断面図である。
【図３】実施例２のケーシング材を用いた実施例３の開口枠構造を示す断面図である。
【図４】図３における要部拡大断面図である。
【図５】実施例２のケーシング材を用いた実施例４の開口枠構造を示す要部拡大断面図である。
【図６】実施例１のケーシング材を用いた実施例５の開口枠構造を示す要部拡大断面図である。
【図７】実施例１のケーシング材を用いた実施例６の開口枠構造を示す要部拡大断面図である。
【図８】従来の開口枠構造を示す概略図である。
【図９】図８におけるＡ−Ａ拡大断面図である。
【符号の説明】
【００４６】
１  ケーシング材
２  ケーシング材本体
３  嵌合部
４  係合突起
５  係合部
６  係合突起収容孔
１１  ケーシング材
１２  ケーシング枠
１３  嵌合溝
１４  戸当り
１５  ドア
１６  蝶番
１７  壁
【図１】
2006219929.tif 000003
【図２】
2006219929.tif 000004
【図３】
2006219929.tif 000005
【図４】
2006219929.tif 000006
【図５】
2006219929.tif 000007
【図６】
2006219929.tif 000008
【図７】
2006219929.tif 000009
【図８】
2006219929.tif 000010
【図９】
2006219929.tif 000011